(57)【要約】【課題】画像処理装置において、機能ごとの省電力モードの選択を簡易に行うことができ、使用状況に応じて柔軟かつ簡易に電力使用状況を最適化することが可能な画像処理装置を提供すること。【解決手段】画像処理装置１は、省電力モード時に給電する機能についてユーザによる選択があるかないかの確認を行う（Ｓ３４）。ユーザの選択があると判断する場合には（Ｓ３４：ＹＥＳ）、省電力モード時に給電する機能についてのユーザ選択のデータ（Ｄ１）を読込む（Ｓ３５）。ユーザの選択がないと判断する場合には（Ｓ３４：ＮＯ）、実行頻度に応じて優先順位が決定された省電力モード時に給電する機能のデータ（Ｄ２）を取り込む（Ｓ３６）。ステップ（Ｓ３５）またはステップ（Ｓ３６）により取り込まれた機能を、省電力モード時に給電する機能として設定し、外部記憶装置２２に省電力モード時に給電する機能についての機能データ（Ｄ３）として格納する（Ｓ３７）。【選択図】図８
2009225139.tif 000002
【特許請求の範囲】
【請求項１】
複数の機能を備え、該機能の組み合わせにより画像処理を行う画像処理装置であって、
前記画像処理の実行履歴に基づき、前記機能ごとの実行頻度を算出する実行頻度算出手段と、
前記実行頻度算出手段により算出される前記実行頻度に基づき、省電力モード時に給電する前記機能を選択する第１選択手段と、
前記第１選択手段により選択される前記機能を、省電力モード時に給電する機能として設定する機能設定手段とを備えることを特徴とする画像処理装置。
【請求項２】
前記実行頻度算出手段は、
前記画像処理の実行に伴う前記機能ごとの負荷を計数化し、すでに実行された複数回の前記画像処理について前記負荷の計数値を累積することを特徴とする請求項１に記載の画像処理装置。
【請求項３】
前記実行頻度算出手段は、
すでに実行された所定回数の前記画像処理について前記負荷の計数値を累積することを特徴とする請求項２に記載の画像処理装置。
【請求項４】
前記実行頻度算出手段は、
前記機能ごとの負荷を、前記画像処理の種別、処理時間、および処理量のうち少なくとも何れか１つに応じて計数化することを特徴とする請求項１乃至３の少なくとも何れか１項に記載の画像処理装置。
【請求項５】
ユーザの指示に応じて、省電力モード時に給電する前記機能を選択する第２選択手段を備え、
前記機能設定手段は、前記第２選択手段による選択が行われていない場合は前記第１選択手段により選択される前記機能を、前記第２選択手段による選択が行われている場合は前記第２選択手段により選択される前記機能を、省電力モード時に給電する機能として設定することを特徴とする請求項１乃至４の少なくとも何れか１項に記載の画像処理装置。
【請求項６】
前記第２選択手段は、
前記機能設定手段により設定されている機能を初期設定機能として設定する初期設定手段と、
ユーザの指示に応じて、省電力モード時の消費電力を選択する電力選択手段と、
前記電力選択手段により選択される消費電力と前記初期設定機能への給電による消費電力との電力差に応じて、前記実行頻度算出手段により算出されている、前記実行頻度の高い前記機能から優先して選択し、また前記実行頻度の低い前記機能から優先して非選択とする優先選択手段とを備えることを特徴とする請求項５に記載の画像処理装置。
【請求項７】
前記優先選択手段は、
前記電力選択手段により選択される消費電力が前記初期設定機能への給電による消費電力より大きいとき、前記実行頻度の高い前記機能から優先して選択し、前記電力選択手段により選択される消費電力が前記初期設定機能への給電による消費電力より小さいとき、前記実行頻度の低い前記機能から優先して非選択とすることを特徴とする請求項６に記載の画像処理装置。
【請求項８】
前記優先選択手段は、
実行頻度の高い機能から優先して選択し、または実行頻度の低い機能から優先して非選択とする処理を行った後、更に処理を継続する場合、
前記電力選択手段により選択されている消費電力が既処理により選択されている前記機能の消費電力より大きいとき、未選択の前記機能のうち実行頻度の高い前記機能から優先して選択し、
前記電力選択手段により選択されている消費電力が既処理により選択されている前記機能の消費電力より小さいとき、既選択の前記機能のうち実行頻度の低い前記機能から優先して非選択とすることを特徴とする請求項６または７に記載の画像処理装置。
【請求項９】
前記第２選択手段は、
前記機能ごとに個別に選択または非選択を行う個別選択手段を備えることを特徴とする請求項５乃至８の少なくとも何れか１項に記載の画像処理装置。
【請求項１０】
前記第２選択手段における前記ユーザの指示を入力すると共に、前記機能の選択状態を表示する入力表示手段を備えることを特徴とする請求項５乃至９の少なくとも何れか１項に記載の画像処理装置。
【請求項１１】
前記入力表示手段は、タッチパネルを備えることを特徴とする請求項１０に記載の画像処理装置。
【発明の詳細な説明】
【技術分野】
【０００１】
本発明は、省電力モードを有する画像処理装置に関するものであり、特に、多数の機能を備えており、機能ごとに省電力モードの選択を行う画像処理装置に関するものである。
【背景技術】
【０００２】
画像処理装置には多数の機能を備えているものが従来より知られている。こうした画像処理装置では、各機能の実行要求に応じて動作を開始するために、各々の機能を構成する機器に常時電力供給が行われているものが存在した。
【０００３】
近年、環境問題への配慮から二酸化炭素の排出量への規制が強まっており、機器の電力消費を低減することが急務である。実行要求のない機能を構成する機器に対して給電を遮断した省電力モードを備えることが要請されている。
【０００４】
例えば、特許文献１の画像形成装置は、画像形成装置を構成する構成要素ごとの省電力モードの選択をユーザが自由に選択できる装置として開示されている。省電力モードを選択する対象となる個々の構成要素に対して、省電力モードを選択するかどうかをＹＥＳ、ＮＯで選択する。ここでＮＯを選択すると、当該構成要素は初期設定では省電力モードの対象とされていたが、省電力モードの選択が解除されたことになる。こうした処理を全ての構成要素について順次行う。
【特許文献１】特開２００１−１４８７５１号公報（段落００３９、００４４、図５）
【発明の開示】
【発明が解決しようとする課題】
【０００５】
しかしながら、上記特許文献１の画像形成装置では、複数の構成要素の各々に対して、ユーザが省電力モードの選択の可否を選択しなければならず、選択作業が煩雑である。
【０００６】
特に、画像処理装置の多機能化が進展している近年においては、多数の機能のうち使用したい機能の組み合わせはユーザごとに異なることが予想される。また、同一のユーザであっても、画像処理装置の動作時間帯、使用期間、および業務内容の変容等に対して使用する機能は固定されたものではなく、その都度異なる可能性がある。こうした使用環境において、特許文献１の画像形成装置では、使用する機能ごとに、使用の都度、省電力モードの選択を行わなければならない。ユーザの選択負担が大きく利便性に欠けており問題である。
【０００７】
本発明は、上記の課題に鑑み提案されたものであって、画像処理装置において、機能ごとの省電力モードの選択を簡易に行うことができ、使用状況に応じて柔軟かつ簡易に電力使用状況を最適化することが可能な画像処理装置を提供することを目的とする。
【課題を解決するための手段】
【０００８】
本発明の請求項１に係る画像処理装置は、複数の機能を備え、該機能の組み合わせにより画像処理を行う画像処理装置であって、画像処理の実行履歴に基づき、機能ごとの実行頻度を算出する実行頻度算出手段と、実行頻度算出手段により算出される実行頻度に基づき、省電力モード時に給電する機能を選択する第１選択手段と、第１選択手段により選択される機能を、省電力モード時に給電する機能として設定する機能設定手段とを備えることを特徴とする。
【０００９】
請求項２に係る画像処理装置は、請求項１に記載の画像処理装置において、実行頻度算出手段は、画像処理の実行に伴う前記機能ごとの負荷を計数化し、すでに実行された複数回の画像処理について負荷の計数値を累積することを特徴とする。
【００１０】
請求項３に係る画像処理装置は、請求項２に記載の画像処理装置において、実行頻度算出手段は、すでに実行された所定回数の画像処理について負荷の計数値を累積することを特徴とする。
【００１１】
請求項４に係る画像処理装置は、請求項１乃至３の少なくとも何れか１項に記載の画像処理装置において、実行頻度算出手段は、機能ごとの負荷を、画像処理の種別、処理時間、および処理量のうち少なくとも何れか１つに応じて計数化することを特徴とする。
【００１２】
請求項５に係る画像処理装置は、請求項１乃至４の少なくとも何れか１項に記載の画像処理装置において、ユーザの指示に応じて、省電力モード時に給電する機能を選択する第２選択手段を備え、機能設定手段は、第２選択手段による選択が行われていない場合は第１選択手段により選択される機能を、第２選択手段による選択が行われている場合は第２選択手段により選択される機能を、省電力モード時に給電する機能として設定することを特徴とする。
【００１３】
請求項６に係る画像処理装置は、請求項５に記載の画像処理装置において、第２選択手段は、機能設定手段により設定されている機能を初期設定機能として設定する初期設定手段と、ユーザの指示に応じて、省電力モード時の消費電力を選択する電力選択手段と、電力選択手段により選択される消費電力と初期設定機能への給電による消費電力との電力差に応じて、実行頻度算出手段により算出されている、実行頻度の高い機能から優先して選択し、また実行頻度の低い機能から優先して非選択とする優先選択手段とを備えることを特徴とする。
【００１４】
請求項７に係る画像処理装置は、請求項６に記載の画像処理装置において、優先選択手段は、電力選択手段により選択される消費電力が初期設定機能への給電による消費電力より大きいとき、実行頻度の高い機能から優先して選択し、電力選択手段により選択される消費電力が初期設定機能への給電による消費電力より小さいとき、実行頻度の低い前記機能から優先して非選択とすることを特徴とする。
【００１５】
請求項８に係る画像処理装置は、請求項６または７に記載の画像処理装置において、優先選択手段は、実行頻度の高い機能から優先して選択し、または実行頻度の低い機能から優先して非選択とする処理を行った後、更に処理を継続する場合、電力選択手段により選択されている消費電力が既処理により選択されている機能の消費電力より大きいとき、未選択の機能のうち実行頻度の高い前記機能から優先して選択し、電力選択手段により選択されている消費電力が既処理により選択されている機能の消費電力より小さいとき、既選択の機能のうち実行頻度の低い機能から優先して非選択とすることを特徴とする。
【００１６】
請求項９に係る画像処理装置は、請求項５乃至８の少なくとも何れか１項に記載の画像処理装置において、第２選択手段は、機能ごとに個別に選択または非選択を行う個別選択手段を備えることを特徴とする。
【００１７】
請求項１０に係る画像処理装置は、請求項５乃至９の少なくとも何れか１項に記載の画像処理装置において、第２選択手段におけるユーザの指示を入力すると共に、機能の選択状態を表示する入力表示手段を備えることを特徴とする。
【００１８】
請求項１１に係る画像処理装置は、請求項１０に記載の画像処理装置において、入力表示手段は、タッチパネルを備えることを特徴とする。
【発明の効果】
【００１９】
請求項１に係る画像処理装置は、複数の機能を備え、該機能の組み合わせにより画像処理を行うものである。実行頻度算出手段により、画像処理の実行履歴に基づき、機能ごとの実行頻度を算出する。実行頻度算出手段により算出される実行頻度に基づき、第１選択手段が省電力モード時に給電する機能を選択する。機能設定手段は、第１選択手段により選択される機能を、省電力モード時に給電する機能として設定する。
【００２０】
これにより、画像処理の実行履歴に基づき、画像処理を構成する機能ごとの実行頻度が算出されるので、実行頻度に基づき、省電力モード時に給電する機能を選択することができる。そして、選択される機能を省電力モード時に給電する機能として設定することができる。
【００２１】
省電力モード時に給電すべき機能をユーザが選択する必要はない。省電力モード時に給電すべき機能の選択について煩雑な操作は必要なく、ユーザにとって利便性が向上する。
【００２２】
また、画像処理の機能ごとの実行頻度に応じて省電力モード時に給電すべき機能が選択されるので、画像処理装置の使用状況に応じた機能について、省電力モード時に給電しておくことができる。省電力モードから実行頻度の高い機能の実行を、迅速且つスムーズに行うことができる。従って、画像処理装置の利便性を損なうことなく、使用状況に応じて柔軟かつ簡易に電力使用状況を最適化することができる。
【００２３】
請求項２に係る画像処理装置は、画像処理の実行に伴い、当該画像処理を構成する機能ごとの負荷を計数化する。計数化された負荷は、すでに実行された複数回の画像処理について負荷の計数値が累積される。
【００２４】
これにより、実行された画像処理は負荷について計数化された上で、複数回の実行に対して負荷の計数値が累積される。複数回の実行における機能ごとの実行頻度が数値化されて算出される。このため、省電力モード時に給電すべき機能の選択を数値の比較により簡便に行うことができる。
【００２５】
請求項３に係る画像処理装置では、画像処理の実行に伴う機能ごとの負荷は計数化され、すでに実行された所定回数の画像処理について累積される。
【００２６】
これにより、所定回数の実行履歴に対して、実行頻度を数値で把握することができる。所定回数を選択することにより、実行頻度を把握すべき実行履歴の長さを調整することができる。
【００２７】
請求項４に係る画像処理装置では、機能ごとの負荷の計数化は、画像処理の種別、処理時間、および処理量のうち少なくとも何れか１つに応じて行われる。画像処理の種別により使用される機能は異なり、処理時間やその他の処理量も異なるので、これらの指標に基づけば、画像処理を構成する機能ごとの負荷の計数化をより精度よく行うことができる。
【００２８】
請求項５に係る画像処理装置では、第２選択手段により、ユーザの指示に応じて省電力モード時に給電する機能を選択する。機能設定手段は、第２選択手段による選択が行われていない場合は第１選択手段により選択される機能を省電力モード時に給電する機能として設定する。また、第２選択手段による選択が行われている場合は第２選択手段により選択される機能を省電力モード時に給電する機能として設定する。
【００２９】
これにより、ユーザの指示に応じて選択された省電力モード時に給電する機能を優先して設定することができる。また、ユーザの指示がなければ、画像処理の実行履歴により導かれた機能ごとの実行頻度に基づいて選択された省電力モード時に給電する機能を設定することができる。ユーザによる選択を優先しながら、ユーザの選択がない場合には実行頻度に基づいて機能が設定されるので、ユーザの利便性が良好な省電力モードの選択が可能となる。
【００３０】
請求項６に係る画像処理装置では、初期設定手段により、第１選択手段により選択され機能設定手段により設定されている機能を初期設定機能として設定する。電力選択手段は、ユーザの指示に応じて省電力モード時の消費電力を選択する。優先選択手段は、電力選択手段により選択される消費電力と初期設定機能への給電による消費電力との電力差に応じて、実行頻度算出手段により算出されている、実行頻度の高い機能から優先して選択し、実行頻度の低い機能から優先して非選択とする。
【００３１】
これにより、機能設定手段により設定されている機能を初期設定機能とするので、ユーザによる指示がある場合はユーザの指示が優先され、ユーザによる指示がない場合は機能設定手段により設定されている機能が選択される。ここで、ユーザによる指示も機能設定手段において省電力モード時の機能として設定される。このため、前回のユーザ指示による機能、またはユーザの指示がなければ実行頻度に伴い選択された機能が、確実に反映される。
また、ユーザの指示に応じて電力選択手段により選択される消費電力に基づいて、優先選択手段が実行頻度に応じて給電する機能を自動的に選択する。従って、ユーザの所望とする消費電力の範囲内で、使用状況に応じて柔軟かつ簡易に電力使用状況を最適化することができる。
【００３２】
請求項７に係る画像処理装置では、省電力モード時に給電される機能による消費電力の総和を、初期設定機能として選択されている機能に追加選択または追加非選択を行うことにより、ユーザの指示に応じて電力選択手段により選択される消費電力に一致させることができる。この場合、追加選択する機能は実行頻度の高い機能から優先して選択し、追加非選択する機能は実行頻度の低い機能から優先して非選択とする。
【００３３】
これにより、初期設定機能として選択されている機能を初期設定状態とし機能ごとの実行頻度に基づいて、省電力モード時に給電される機能として、ユーザの指示により選択される機能の選択が行われる。ここで、初期設定機能は、ユーザの指示による選択または実行頻度による選択でありユーザの指示が優先される。ユーザの指示を優先し負荷ごとの実行頻度に従って、省電力モード時に給電する機能を選択することができる。ユーザの意図および使用状況に適合した機能の選択を行うことができる。
【００３４】
請求項８に係る画像処理装置では、優先選択手段により、実行頻度の高い機能から優先して選択し、または実行頻度の低い機能から優先して非選択とする処理を行った後、更に処理を継続する場合に、電力選択手段により選択されている消費電力が既処理により選択されている機能の消費電力より大きいときは、優先選択手段は、未選択の機能のうち実行頻度の高い機能から優先して選択する。また、電力選択手段により選択されている消費電力が既処理により選択されている機能の消費電力より小さいときは、優先選択手段は、既選択の機能のうち実行頻度の低い機能から優先して非選択とする。
【００３５】
これにより、優先選択手段により機能の選択または非選択を行った後、更に処理を継続する場合に、既に選択された機能に、新たな機能を追加選択または追加非選択をすればよい。消費電力の選択の変更ごとに、既に選択した機能をリセットして再度初めから選択を行う必要はなく、既に選択した情報を有効に利用することができる。
【００３６】
請求項９に係る画像処理装置では、個別選択手段により、ユーザが機能ごとに個別に選択または非選択を行うことができる。
【００３７】
請求項１０に係る画像処理装置では、入力表示手段によって、ユーザの指示の入力、および機能の選択状態を、表示することが好ましい。また、請求項１１に係る画像処理装置では、入力表示手段はタッチパネルであることが好ましい。
【発明を実施するための最良の形態】
【００３８】
図１は、本発明の一実施形態である画像処理装置１の外観構成を示している。図１において、画像処理装置１は、インクジェットプリンタなどプリンタ部２、およびフラットベットタイプの公知のスキャナ部３を、フレームの下部、および上部に備えている。また操作パネル部４をフレームの前方上面に備えている。タッチパネル付き液晶表示画面５が、操作パネル部４の中央に配置されている。ここで、タッチパネル付き液晶表示画面５は、横手方向に長い長方形状の形状を有しワイドサイズの表示部を有する液晶である。
【００３９】
タッチパネル付き液晶表示画面５にはキー入力、各種情報などが表示される。図２は、消費電力選択モードの表示画面である（後述）。左半面の表示は、画像処理装置１が備える各種の画像処理において実行される機能の一覧が表示されている。右半面の表示は、省電力モード時に給電する機能を選択する入力画面と選択状態（後述）が表示されている。
【００４０】
左半面に表示されている機能は、メディア・カード、有線ＬＡＮ、無線ＬＡＮ、読取、印字、ＦＡＸ、およびコードレス電話である。また、これらの機能を組み合わせて実行される、ＣＦ／ＳＤ／ＭＳカード、有線ＬＡＮ通信、無線ＬＡＮ通信、コピー、ＦＡＸ送受信、ＰＣプリント、およびコードレス電話等、各種の画像処理が表示されている。また、右半面に表示されている入力および表示画面には、入力手段として、スクロールキーＳＫと機能ごとのトグルキーＦＫが表示されている。スクロールキーＳＫは、省電力モード時の消費電力をユーザの指示により連続的に選択するためのものである。選択された消費電力は消費電力表示ウィンドウＰＷに表示される。機能ごとのトグルキーＦＫは、ユーザが押圧するごとに選択／非選択状態を切り替えるキーであり、選択／非選択の状態によって表示形態を異ならせて表示される。図２では、有線ＬＡＮおよび印字が選択されている状態である。また、右下端には復帰キーＢＫが備えられている。現在表示されている消費電力選択モードの表示画面から１段階上位の表示画面に表示内容を戻すためのキーである。
このような消費電力選択モードの表示画面において、省電力モード時に給電される機能が選択されると、省電力モード時には、選択された機能にのみ給電される。ここで、省電力モードとは、画像処理装置１で画像処理が行われていない待機中に、給電する機能を制限するモードである。従って、省電力モード時に給電されている機能で構成される画像処理が要求されると、画像処理装置１は、待機状態から速やかに復帰して、要求された画像処理を実行することができる。一方、省電力モード時に給電が遮断されている機能で構成された画像処理が要求されると、その機能に電源を供給した後に待機状態から復帰して、要求された画像処理を実行する。
具体的には、図２で示されるように、省電力モード時に、給電する機能として有線ＬＡＮおよび印字が選択されている場合、画像処理としてＰＣプリント（ＰＣから有線ＬＡＮを介して送信された印字データを印刷する処理）が要求されると、この画像処理を構成する機能である有線ＬＡＮ機能と印字機能はすでに給電されているので、速やかに待機状態から復帰して処理を開始できる。しかしながら、画像処理としてコピー（原稿を読み取って印刷する処理）が要求されると、この画像処理を構成する機能である読取機能には、給電がされていないので、読取機能に給電された後にコピー処理が開始される。
【００４１】
図１に示すその他の入力キー４０は、例えば、画像処理装置１の電源の投入を指示する電源キー等を含むものである。各入力キー４０の操作に応じ、画像処理装置１に対して各種の指示を行うことができる。
【００４２】
画像処理装置１は、着脱可能な記憶媒体とデータの授受が可能なスロット部３０、３１を備えている。各種のメディアカードが挿入される。例えば、コンパクトフラッシュ（登録商標）、ＳＤメモリカード（登録商標）、およびメモリースティック（登録商標）などが着脱可能に使用できる。スロット部３０、３１は、操作パネル部４の直ぐ下方に備えられている。スロット部３０には、上記のコンパクトフラッシュ（登録商標）および上記のＳＤメモリカード（登録商標）が装着される。スロット部３１には、上記のメモリースティック（登録商標）が装着される。
【００４３】
画像処理装置１のシステム構成について図３を参照して説明する。図３は、画像処理装置１のシステム構成図である。ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）２６はＣＰＵ２１の指令に従い、画像処理装置１の各種の機能を実行するために統括的に制御処理を行うものである。ＡＳＩＣ２６には、外部バス２５を介して外部記憶装置２２、ＲＡＭ２３、ＭＯＤＥＭ３４が接続されている。
また、ＡＳＩＣ２６には、プリンタ部２、スキャナ部３、スロット部３０，３１、ＵＳＢ端子３２、有線ＬＡＮ通信を行うための有線ＬＡＮ  Ｉ／Ｆ３５、無線ＬＡＮ通信を行うための無線ＬＡＮ  Ｉ／Ｆ３６、子機として機能するコードレス電話と通信するためのコードレス電話通信部３７が接続されている。入力キー４０は、パネルゲートアレイ（パネルＧＡ）２７を介してＡＳＩＣ２６に接続されている。パネルゲートアレイ（パネルＧＡ）２７は、入力キー４０の各々の操作により、キー信号をＡＳＩＣ２６に入力する動作を制御する。
【００４４】
タッチパネル付き液晶表示画面５は、透明電極からなるマトリックススイッチ４１と、このスイッチ４１の下方に配設された液晶表示部４２とから構成されている。マトリックススイッチ４１はＡＳＩＣ２６内部のタッチ検出部２９に接続され、液晶表示部４２はＡＳＩＣ２６内部の表示制御部２８に接続されている。ユーザがマトリックススイッチ４１上の所望の位置に接触すると、タッチ検出部２９は、接触された座標位置を検出して位置信号をＣＰＵ２１に出力する。
【００４５】
表示制御部２８は、ＣＰＵ２１からの指令に従い、画像処理装置１が実行する機能に関する各種の情報を液晶表示部４２に表示させるために、液晶表示部４２の画面表示を制御する。
【００４６】
ＮＣＵ（Ｎｅｔｗｏｒｋ Ｃｏｎｔｒｏｌ Ｕｎｉｔ）３３は、ファクシミリ通信を制御するために、ＭＯＤＥＭ３４に接続されている。ＭＯＤＥＭ３４は外部バス２５を介してＡＳＩＣ２６に接続されている。
【００４７】
外部記憶装置２２には、ＣＰＵ２１により実行される各種の実行プログラムおよびデータが格納されている。すなわち、実行プログラムとして、画像処理の実行プログラム（図４）、画像処理の実行履歴から給電する機能の自動選択プログラム（図５）、消費電力選択モードの処理および省電力モードへの移行プログラム（図８）、消費電力選択モードプログラム（図９、１０）等が格納され、データとして、省電力モード時に給電する機能についてのユーザ選択のデータ（Ｄ１）、機能ごとの実行頻度のポイントデータおよび実行頻度により決定した省電力モード時に給電する機能についてのデータ（Ｄ２）、省電力モード時に給電する機能についての機能データ（Ｄ３）等が格納されている。
【００４８】
画像処理の実行プログラムは図４にて後述するが、画像処理の実行を行うメインプログラムである。画像処理の実行履歴から給電する機能の自動選択プログラムは図５にて後述するが、画像処理の実行プログラムにおいて、実行される画像処理の機能ごとの履歴を取得し省電力モード時に給電する機能の優先順位を決定する。消費電力選択モードでの処理および省電力モードへの移行プログラムは図８にて後述するが、消費電力選択モードおよび省電力モードへ移行するか否かの判断を行う。消費電力選択モードプログラムは図９および図１０にて後述するが、ユーザによる選択と実行頻度による選択とに基づいて省電力モード時の給電機能の選択を行う。
【００４９】
また、省電力モード時に給電する機能についてのユーザ選択のデータ（Ｄ１）は消費電力選択モードプログラム（図９、１０）において選択される。機能ごとの実行頻度のポイントデータおよび実行頻度により決定した省電力モード時に給電する機能についてのデータ（Ｄ２）は画像処理の実行履歴から給電する機能の自動選択プログラム（図５）において算出される。省電力モード時に給電する機能データ（Ｄ３）は消費電力選択モードでの処理および省電力モードへの移行プログラム（図８）において選択される。
【００５０】
ＲＡＭ２３は、ＣＰＵ２１が外部記憶装置２２に格納されている各種のプログラムを実行する際に、各プログラム及び演算結果データを一時的に記憶する作業領域である。
【００５１】
以下では、個々のプログラムに従う画像処理装置１の動作につき、順次説明をする。
【００５２】
図４に画像処理の実行プログラムを示す。画像処理装置１の電源投入時に、外部記憶装置２２に格納されているプログラムがＲＡＭ２３にロードされ実行が開始される。プログラムの開始により画像処理要求の待ち受け状態に移行する（Ｓ１１）。画像処理要求を検出しないと（Ｓ１１：ＹＥＳ）、Ｓ１１の処理を繰り返す。一方、画像処理要求を検出すると（Ｓ１１：ＹＥＳ）、要求された画像処理を実行する（Ｓ１２）。ここで画像処理とは、例えば、「ＦＡＸの受信記録」、「有線ＬＡＮによるプリント」、「コピー」、「メディアカードの画像データを液晶表示」などの処理である（図６、７を参照）。このような画像処理は、図３に示すプリンタ部２、スキャナ部３、液晶表示部４２、スロット部３０、３１、ＮＣＵ３３、ＭＯＤＥＭ３４、有線ＬＡＮ  Ｉ／Ｆ３５、無線ＬＡＮ  Ｉ／Ｆ３６、コードレス電話通信部３７等を使用して実行される。画像処理が実行されるごとに、画像処理の実行履歴から省電力モード時に給電する機能を自動選択する処理を行う（Ｓ１３）。
【００５３】
画像処理の実行履歴から省電力モード時に給電する機能を自動選択する処理（Ｓ１３）は、図５に示すプログラムにより実行される。
【００５４】
処理が開始されると、画像処理の実行内容は、ＲＡＭ２３（図３）に一次的に保持される（Ｓ２１）。画像処理の種別、動作日時、動作時間、印字枚数、読取枚数等の各種の情報が保持される。一例を図６に示す。図６では、過去５回の画像処理履歴を示している。
【００５５】
画像処理の種別として、１回前の処理では「ＦＡＸの受信記録」、２回前の処理では「有線ＬＡＮによるプリント」、３回前の処理では「コピー」、４回前の処理では「有線ＬＡＮによるプリント」、５回前の処理では「メディアカードの画像データを液晶表示」が一次保持される。また、動作日時および動作時間が個々の処理について保持される。更に、各処理での印字枚数および読取枚数が保持される。ここで、「ＦＡＸ受信記録」および「有線ＬＡＮによるプリント」では読取処理は行われないので、読取枚数は０枚として保持される。
【００５６】
次に、ＲＡＭ２３（図３）に保持された画像処理の実行内容から画像処理ごとの使用量ポイントを算出する（Ｓ２２）。算出した使用量ポイントは、画像処理を構成する機能の実行頻度を示すポイントとして、機能ごとに、既に算出されているポイントに加算される。加算されたポイントは、機能ごとの実行頻度のポイントデータ（Ｄ２）として外部記憶装置２２（図３）に記憶される（Ｓ２３）。
【００５７】
ここで、使用量ポイントとは、画像処理ごとの実行内容を、画像処理の種別、動作時間、印字枚数、読取枚数等の実行時の負荷に応じて重み付け数値化したもので、画像処理の実行時の消費電力と相関する数値である。同じ画像処理であっても、動作時間が長いほど、また印字枚数や読取枚数が多いほど、大きな使用量ポイントが付与される。画像処理ごとに算出された使用量ポイントを図６に例示する。１回前の処理である「ＦＡＸの受信記録」では２ポイント、２回前の処理である「有線ＬＡＮによるプリント」では３ポイント、３回前の処理である「コピー」では２ポイント、４回前の処理である「有線ＬＡＮによるプリント」では１０ポイント、５回前の処理である「メディアカードの画像データを液晶表示」では１ポイントと算出されている。
【００５８】
また、「機能」とは画像処理を実行するために必要となる基本的な処理の単位である。図７に例示するように、「ＦＡＸの受信記録」は「印字」および「ＦＡＸ通信」、「有線ＬＡＮによるプリント」は「有線ＬＡＮ」および「印字」、「コピー」は「読取」および「印字」、「メディアカードの画像データを液晶表示」は「メディアカード」、といったように、各画像処理は、単数又は複数の単位機能で構成される。ステップ（Ｓ２２）で算出された画像処理ごとに算出された使用量ポイントは、画像処理を構成する各機能に割り振られ、各々の機能の実行頻度のポイントとして、既に割り振られているポイントに加算され累積される。図７の合計ポイントが累積された機能ごとの実行頻度のポイントである。
【００５９】
ステップ（Ｓ２３）で加算され累積された機能ごとのポイントは、その値が大きな程実行頻度が高いと判断できる。そこで、ステップ（Ｓ２４）ではポイント値の大きさを判断する。１０ポイントを判定の基準値として、加算され累積されたポイントが１０ポイント以上である機能については（Ｓ２４：ＹＥＳ）、省電力モード時に給電する機能として選択し（Ｓ２５）、１０ポイントに満たない機能については（Ｓ２４：ＮＯ）、省電力モード時に給電しない機能として選択する（Ｓ２６）。ステップ（Ｓ２５）およびステップ（Ｓ２６）で機能ごとに選択された状態は、機能ごとの実行頻度のポイントと共に、機能ごとの実行頻度のポイントデータ（Ｄ２）として外部記憶装置２２に格納される（Ｓ２７）。
【００６０】
図８は、消費電力選択モードでの処理および省電力モードへの移行プログラムである。省電力モード時に給電する機能について選択する消費電力選択モードでの処理を経て、省電力モードに移行する際のプログラムである。図８のプログラムは、画像処理の実行プログラム（図４）とは並行して実行されるプログラムである。すなわち、図８のプラグラムが実行を開始することにより、消費電力選択モードまたは省電力モードへの移行キーの入力待ち受け状態（Ｓ３１）となる。この間、図４のプログラムの実行開始により、画像処理要求の待ち受け状態（Ｓ１１）となる。
【００６１】
プログラムが開始されると、キー入力の待ち受け状態に移行する（Ｓ３１）。キー入力を検出しないと（Ｓ３１：ＮＯ）、Ｓ３１の処理を繰り返す。一方、キー入力を検出すると（Ｓ３１：ＹＥＳ）、消費電力選択モードへの移行キーが操作されたか否かが判断される（Ｓ３２）。消費電力選択モードへの移行キーが操作されたと判断した場合（Ｓ３２：ＹＥＳ）、消費電力選択モードの処理に移行する（Ｓ３３）。キー操作が消費電力選択モードをスキップする等を指示している場合には（Ｓ３２：ＮＯ）、消費電力選択モードでの処理（Ｓ３３）をスキップする。
【００６２】
消費電力選択モードに移行して、図９および図１０に示す消費電力選択モードプログラムが開始されると、図８のプログラムにおいて外部記憶装置２２に格納されている省電力モード時に給電する機能についての機能データ（Ｄ３）を読込む（Ｓ４１）。そして、消費電力選択画面を液晶表示部４２に表示する（Ｓ４２）。例えば、図２に示す画面である。
【００６３】
ここで、省電力モード時に給電する機能についての機能データ（Ｄ３）は過去の処理により既に選択されているデータである。機能データ（Ｄ３）を外部記憶装置２２に格納する処理については後述する。ステップ（Ｓ４１）の処理により、消費電力選択モードでの初期値が設定される。消費電力選択モードでは、既に選択されている省電力モード時に給電する機能についての機能データ（Ｄ３）を初期値として、後述するユーザによる指示に応じて、省電力モード時に給電する機能の選択および非選択を行う。
【００６４】
復帰キーＢＫの押圧がモニタされており（Ｓ４３）、押圧されたことを検出すると（Ｓ４３：ＹＥＳ）、消費電力選択モードは終了し、ステップ（Ｓ３４）に移行する。押圧されたことを検出しないと（Ｓ４３：ＮＯ）、キー入力の待ち受け状態になっている。先ず、スクロールキーＳＫの移動が検出されたか否かを判断する（Ｓ４４）。スクロールキーＳＫの移動を検出すると（Ｓ４４：ＹＥＳ）、スクロールキーＳＫによる消費電力の選択処理に移行する（Ｓ４５〜Ｓ５１）。スクロールキーＳＫの移動を検出しないと（Ｓ４４：ＮＯ）、図９中の「Ｂ」を介して図１０に移動する。図１０の「Ｂ」より、機能ごとのトグルキーＦＫの押圧が検出されたか否かを判断する（Ｓ５２）。機能ごとのトグルキーＦＫの押圧を検出すると（Ｓ５２：ＹＥＳ）、機能ごとのトグルキーＦＫによる選択および非選択の選択処理に移行する（Ｓ５３〜Ｓ５６）。機能ごとのトグルキーＦＫの押圧を検出しないと（Ｓ５２：ＮＯ）図１０中の「Ａ」を介して図９に移動する。図９の「Ａ」より、ステップ（Ｓ４３）に戻り、キー入力の待ち受け状態が継続する。
【００６５】
次に、スクロールキーＳＫによる消費電力の選択処理（Ｓ４５〜Ｓ５１）を説明する。ユーザが、消費電力表示ウィンドウＰＷに表示される消費電力値を参照してスクロールキーＳＫを移動すると、それを検出して、省電力モード時の消費電力を選択する（Ｓ４５）。次にＳ４５で選択された消費電力が、初期値として設定された省電力モード時に給電する機能の消費電力値の総和に対して増加するか否かを判断する（Ｓ４６）。消費電力が増加する場合には（Ｓ４６：ＹＥＳ）、図５に示す画像処理の実行履歴から給電する機能の自動選択プログラムにより算出された実行頻度のポイントデータ（Ｄ２）を参照して、実行頻度のポイントの大きな機能から優先して省電力モード時に給電する機能として追加選択する（Ｓ４７）。消費電力が減少する場合には（Ｓ４６：ＮＯ、およびＳ４８：ＹＥＳ）、実行頻度のポイントデータ（Ｄ２）を参照して、既に選択されている機能から実行頻度のポイントの小さな機能から優先して省電力モード時に給電する機能として非選択とする（Ｓ４９）。機能の追加選択（Ｓ４７）および機能の非選択（Ｓ４９）により、選択されている機能が変更された結果、総消費電力がスクロールキーＳＫで選択された消費電力に一致する否かを検出する（Ｓ５０）。Ｓ５０では、スクロールキーＳＫで選択された消費電力を超えない範囲で、機能の追加選択（Ｓ４７）および機能の非選択（Ｓ４９）により選択されている機能の総消費電力が最大である場合、一致すると判断される。すなわち、スクロールキーＳＫで選択された消費電力を超えないように、機能の追加選択（Ｓ４７）および機能の非選択（Ｓ４９）により最大数の機能が選択される。Ｓ５０の判断で一致していないと判断すると（Ｓ５０：ＮＯ）、ステップ（Ｓ４６）に戻って処理を継続する。一方、一致していると判断すると（Ｓ５０：ＹＥＳ）、選択が完了したものとして選択された機能の表示を行う（Ｓ５１）。なお、消費電力が変わらない場合（Ｓ４６：ＮＯ、およびＳ４８：ＮＯ）、ステップ（Ｓ４７）、ステップ（Ｓ４９）、およびステップ（Ｓ５０）の処理はスキップされ、ステップ（Ｓ５１）に移行する。
【００６６】
スクロールキーＳＫによる消費電力の選択処理における消費電力選択画面、使用量ポイント、実行頻度のポイント及び消費電力を図２、図６、図７、図１１、および図１４に例示する。図２に示す表示画面において、ユーザは消費電力表示ウィンドウＰＷを確認しながら、消費電力が２Ｗから４ＷになるようにスクロールキーＳＫを移動させる。すると、消費電力が増加したと判断されるので、図７において未選択の機能のうち、最も実行頻度ポイントの高いＦＡＸ及び読取のいずれかが、給電する機能として選択される。実行頻度ポイントが同じである場合、例えば、実行履歴を参照して動作日時が最も新しい画像処理を構成する機能を優先的に選択するようにしてもよい。また、スクロールキーＳＫにより選択された消費電力を超えない機能を優先的に選択するようにしてもよい。図６より、１回前にＦＡＸ受信記録が実行されており、３回前に実行されているコピーよりも新しい。また、図１４に示すＦＡＸの消費電力は１Ｗであるので、スクロールキーＳＫにより選択された消費電力を超えない。従って、ＦＡＸが給電する機能として選択される。このとき、選択状態と非選択状態とで表示色や枠線の太さなどの表示形態を変更することで、消費電力選択画面に選択された機能が表示される。図１１では、選択状態にある機能は太い枠線で表示する場合を例示する。「読取」、「印字」、「ＦＡＸ」の機能が選択状態にある。図１４に示すように、省電力モードでのそれぞれの消費電力は２Ｗ、１Ｗ、１Ｗである。従って、消費電力表示ウィンドウＰＷに表示されるように、省電力モード時の総消費電力は４Ｗとして選択されている。
【００６７】
次に図１０により、機能ごとのトグルキーＦＫによる選択および非選択の選択処理（Ｓ５３〜Ｓ５６）を説明する。機能ごとのトグルキーＦＫにより選択された機能が選択状態である場合（Ｓ５３：ＹＥＳ）、選択された機能を非選択状態とし（Ｓ５４）、機能ごとのトグルキーＦＫにより選択された機能が非選択状態である場合（Ｓ５３：ＮＯ）、選択された機能を選択状態とする（Ｓ５５）。非選択状態または選択状態の選択に伴い、スクロールバーＳＫの表示位置および消費電力表示ウィンドウＰＷの表示内容を変更する（Ｓ５６）。
【００６８】
機能ごとのトグルキーＦＫによる機能の選択および非選択の選択処理における消費電力選択画面を図１２及び図１３に例示する。図１２は、図１１の状態からユーザが「無線ＬＡＮ」を押圧する場合である。「無線ＬＡＮ」は非選択状態から選択状態に切り替わる。図１４に示すように、省電力モードでの「無線ＬＡＮ」の消費電力は２Ｗである。従って、消費電力表示ウィンドウＰＷに表示されるように、省電力モード時の総消費電力は６Ｗとして選択されるとともに、スクロールバーＳＫも対応する位置にバーが移動する。
【００６９】
図１３は、図１２の状態からユーザが「ＦＡＸ」を押圧する場合である。「ＦＡＸ」は選択状態から非選択状態に切り替わる。図１４に示すように、省電力モードでの「ＦＡＸ」の消費電力は１Ｗである。従って、消費電力表示ウィンドウＰＷに表示されるように、省電力モード時の総消費電力は５Ｗとして選択されるとともに、スクロールバーＳＫも対応する位置にバーが移動する。
【００７０】
スクロールキーＳＫによる消費電力の選択処理（Ｓ４５〜Ｓ５１）、または機能ごとのトグルキーＦＫによる選択および非選択の選択処理（Ｓ５３〜Ｓ５６）により選択または非選択とされた機能の選択情報を、省電力モード時に給電する機能についてのユーザ選択のデータ（Ｄ１）として外部記憶装置２２に格納し（Ｓ５７）、ステップ（Ｓ４３）に戻る。
【００７１】
このように、本実施形態では、スクロールキーＳＫまたはトグルキーＦＫに対するユーザの操作を検出すると、スクロールキーＳＫによる消費電力の選択処理（Ｓ４５〜Ｓ５１）、または機能ごとのトグルキーＦＫによる選択および非選択の選択処理（Ｓ５３〜Ｓ５６）を繰り返す。ここで、スクロールキーＳＫの移動が検出された（Ｓ４４：ＹＥＳ）場合、初回のみステップ（Ｓ４１）において初期値として選択された省電力モード時に給電する機能についての機能データ（Ｄ３）を使用して機能の追加選択（Ｓ４７）および機能の非選択（Ｓ４９）がなされる。２回目のループ以降は、省電力モード時に給電する機能についてのユーザ選択のデータ（Ｄ１）を使用して機能の追加選択（Ｓ４７）および機能の非選択（Ｓ４９）がなされる。前回の機能の追加選択（Ｓ４７）または機能の非選択（Ｓ４９）により選択された状態は、ステップ（Ｓ５７）において後述するようにデータ（Ｄ１）として格納されているからである。
【００７２】
図８に戻ってステップ（Ｓ３４）以降の説明を行う。ステップ（Ｓ３２）においてキー操作が消費電力選択モードをスキップする等を指示している場合（Ｓ３２：ＮＯ）、またはステップ（Ｓ４３）において消費電力選択画面の復帰キーＢＫが押圧された場合（Ｓ４３：ＹＥＳ）に、ステップ（Ｓ３４）に移行する。ステップ（Ｓ３４）では、省電力モード時に給電する機能についてユーザによる選択があるかないかの確認を行う。すなわち、消費電力選択モードにおいて省電力モード時に供給する機能の選択が行われ、ユーザ選択のデータ（Ｄ１）が格納されているか否かを判断する。ユーザの選択があると判断する場合には（Ｓ３４：ＹＥＳ）、省電力モード時に給電する機能についてのユーザ選択のデータ（Ｄ１）を読込む（Ｓ３５）。ユーザの選択がないと判断する場合には（Ｓ３４：ＮＯ）、画像処理の実行履歴から給電する機能の自動選択プログラム（図５）に従って実行頻度のポイントデータ（Ｄ２）がすでに格納されているので、実行頻度に応じて優先順位が決定された省電力モード時に給電する機能のデータ（Ｄ２）を実行頻度のポイントデータ（Ｄ２）から取り込む（Ｓ３６）。ステップ（Ｓ３５）またはステップ（Ｓ３６）により取り込まれた機能を、省電力モード時に給電する機能として設定し、外部記憶装置２２に省電力モード時に給電する機能についての機能データ（Ｄ３）として格納する（Ｓ３７）。
【００７３】
その後、省電力モードへの移行キーがオン状態か否かが判断され、オン状態であると判断すると（Ｓ３８：ＹＥＳ）省電力モードに移行する（Ｓ３９）。すなわち、Ｓ３７で格納された省電力モード時に給電する機能データ（Ｄ３）を外部記憶装置２２から読み出して、画像処理装置１が待機中のときに、給電する機能を制限する処理を行う。オン状態ではないと判断すると（Ｓ３８：ＮＯ）省電力モードに移行しないでプログラムを終了する。
【００７４】
ここで、画像処理の実行履歴から給電する機能の自動選択プログラム（図５）におけるステップ（Ｓ２１）〜ステップ（Ｓ２３）の処理をＣＰＵ２１による指令に基づいて実行し、算出された使用量ポイントを外部記憶装置２２に記憶する手段が、実行頻度算出手段に相当する。また、ステップ（Ｓ２４）〜ステップ（Ｓ２６）の処理をＣＰＵ２１による指令に基づいて実行し、外部記憶装置２２またはＲＡＭ２３にある使用量ポイントを判別し、機能を選択する手段が、第１選択手段に相当する。消費電力選択モードの処理および省電力モードへの移行プログラム（図８）におけるステップ（Ｓ３４）〜ステップ（Ｓ３７）の処理をＣＰＵ２１による指令に基づいて実行し、液晶表示部４２およびマトリックススイッチ４１を介してユーザが選択した機能が表示制御部２８およびタッチ検出部２９を経てＣＰＵ２１で処理された上で外部記憶装置２２に記憶する手段が、機能設定手段に相当する。
【００７５】
また、図７に示す合計ポイントが、計数化した負荷を既に実行された画像処理について累積されている負荷の計数値に相当する。
【００７６】
また、消費電力選択モードの処理および省電力モードへの移行プログラム（図８）におけるステップ（Ｓ３３）、すなわち消費電力選択モードプログラム（図９、１０）の処理をＣＰＵ２１による指令に基づいて実行し、液晶表示部４２に表示すると共に外部記憶装置２２に記憶する手段が、第２選択手段に相当する。
【００７７】
また、消費電力選択モードプログラム（図９、１０）におけるステップ（Ｓ４１）の処理をＣＰＵ２１による指令に基づいて実行し、対応する機能を外部記憶装置２２からＲＡＭ２３に読み込む手段が、初期設定手段に相当する。ステップ（Ｓ４５）の処理をＣＰＵ２１による指令に基づいて実行し、マトリックススイッチ４１によりユーザが入力した消費電力を受け付ける手段が、電力選択手段に相当する。ステップ（Ｓ４６）〜ステップ（Ｓ５０）の処理をＣＰＵ２１による指令に基づいて処理される手段が、優先選択手段に相当する。
【００７８】
また、消費電力選択モードプログラム（図９、１０）におけるステップ（Ｓ５２）〜ステップ（Ｓ５５）の処理をＣＰＵ２１による指令に基づいて実行し、マトリックススイッチ４１によるユーザの入力に対してＣＰＵ２１にて処理される手段が、個別選択手段に相当する。
【００７９】
また、消費電力選択モードプログラム（図９、１０）におけるステップ（Ｓ５１）およびステップ（Ｓ５６）の表示および表示が行われる液晶表示部４２が入力表示手段に相当する。また、マトリックススイッチ４１がタッチパネルに相当する。
【００８０】
また、図２、図７、および図１１〜図１４に記載されている「メディアカード」、「有線ＬＡＮ」、「無線ＬＡＮ」、「読取」、「印字」、「ＦＡＸ」、および「コードレス電話」が機能に相当する。また、図６に記載されている「ＦＡＸの受信記録」、「有線ＬＡＮによるプリント」、「コピー」、および「メディアカードの画像データを液晶表示」が画像処理に相当する。また、図６に記載されている動作時間が処理時間に、印字枚数および読取枚数が処理量に相当する。
【００８１】
以上、詳細に説明したように、本発明の実施形態によれば、画像処理の実行履歴から給電する機能の自動選択プログラム（図５）により、画像処理の実行履歴に基づいて画像処理を構成する機能ごとの実行頻度が算出され、機能ごとの実行頻度のポイントデータおよび省電力モード時に給電する機能についてのデータ（Ｄ２）として外部記憶装置２２に格納される。これにより、実行頻度に基づいて省電力モード時に給電する機能を設定することができる。
【００８２】
省電力モードに給電すべき機能をユーザが選択して選択する必要はなく、省電力モード時に給電すべき機能の選択について煩雑な操作は必要なく、ユーザにとって利便性が向上する。
【００８３】
画像処理装置１の使用状況に合致した機能について、省電力モード時に給電しておくことができる。省電力モードから実行頻度の高い機能の実行を、迅速且つスムーズに行うことができる。従って、画像処理装置の利便性を損なうことなく、使用状況に応じて柔軟かつ簡易に電力使用状況を最適化することができる。
【００８４】
また、実行された画像処理は、その内容に応じて使用量ポイントとして負荷について計数化され累積される。そして、機能ごとの実行頻度のポイントデータ（Ｄ２）として外部記憶装置２２に格納される。実行頻度が機能ごとに数値化されて算出されるため、省電力モード時に給電すべき機能の選択を数値の比較により簡便に行うことができる。
【００８５】
この場合、累積する実行履歴の回数を複数回とすることにより、過去の実行履歴を十分に反映したポイントを格納することができる。また、累積する実行履歴を所定回数とすることにより、実行頻度を把握すべき実行履歴の長さを調整することができる。
【００８６】
また、画像処理の種別により使用される機能は異なり、動作時間（処理時間）や、印字枚数、読取枚数といった処理量等の指標に基づけば、画像処理の使用量ポイントを精度よく係数かでき、画像処理を構成する機能ごとの負荷の計数化をより精度よく行うことができる。
【００８７】
また、消費電力選択モードプログラム（図９、１０）により、ユーザの指示に応じて選択された省電力モード時に給電する機能を優先して設定することができる。また、消費電力選択モードの処理および省電力モードへの移行プログラム（図８）におけるステップ（Ｓ３４）〜ステップ（Ｓ３７）によれば、ユーザの指示を優先しユーザの指示がなければ画像処理の実行履歴により導かれた機能ごとの実行頻度に基づいて選択された省電力モード時に給電する機能を設定することができる。ユーザによる選択を優先しながら、ユーザの選択がない場合には実行頻度に基づいて機能が設定されるので、ユーザの利便性が良好な省電力モードの選択が可能となる。
【００８８】
また、消費電力選択モードプログラム（図９、１０）におけるステップ（Ｓ４１）によれば、省電力モード時に給電する機能データ（Ｄ３）により設定される機能を初期設定機能とするので、ユーザによる指示がある場合はユーザの指示が優先され、ユーザによる指示がない場合はデータ（Ｄ３）により設定される機能が選択される。ここで、ユーザ指示による機能もデータ（Ｄ３）により設定される。このため、前回のユーザ指示による機能、またはユーザの指示がなければ実行頻度に伴い選択された機能が、確実に反映される。
また、ユーザの指示に応じて電力選択手段により選択される消費電力に基づいて、優先選択手段が実行頻度に応じて給電する機能を自動的に選択する。従って、ユーザの所望とする消費電力の範囲内で、使用状況に応じて柔軟かつ簡易に電力使用状況を最適化することができる。
【００８９】
また、既に格納されている機能データ（Ｄ３）により選択される機能を初期設定状態とし、機能ごとの実行頻度に基づいて、消費電力選択モードプログラム（図９、１０）により、ユーザの指示により選択される省電力モード時に給電される機能の選択が行われる。ここで、機能データ（Ｄ３）としては、ユーザの指示による選択または実行頻度による選択のうち、ユーザの指示による選択が優先される。ユーザの指示を優先し負荷ごとの実行頻度に従って、省電力モード時に給電する機能を選択することができる。ユーザの意図および使用状況に適合した機能の選択を行うことができる。
【００９０】
また、消費電力選択モードプログラム（図９、１０）におけるステップ（Ｓ４６）〜ステップ（Ｓ５０）によれば、機能の選択または非選択を行った後、更に処理を継続する場合には、既に選択された省電力モード時に給電する機能についてのユーザ選択のデータ（Ｄ１）に基づいて、新たな機能について追加選択または追加非選択をすればよい。スクロールキーＳＫによる消費電力の選択の変更ごとに、既に選択した機能をリセットして再度初めから選択を行う必要はなく、既に選択した情報を有効に利用することができる。
【００９１】
また、消費電力選択モードプログラム（図９、１０）におけるステップ（Ｓ５２）〜ステップ（Ｓ５５）によれば、ユーザが機能ごとに個別に選択または非選択を行うことができる。
【００９２】
また、消費電力選択モードプログラム（図９、１０）におけるステップ（Ｓ５１）およびステップ（Ｓ５６）での表示を液晶表示部４２により行うので、ユーザの指示の入力、および機能の選択状態を視認することができる。また、液晶表示装置４２にはマトリックススイッチ４１が備えられており、液晶表示を確認しながらタッチパネルとして入力を行うことができる。
【００９３】
尚、本発明は前記実施形態に限定されるものではなく、本発明の趣旨を逸脱しない範囲内での種々の改良、変更が可能であることは言うまでもない。
例えば、本実施形態では、画像処理装置１が実行可能に備えている画像処理は、図６に記載されているものに限定されるものではない。図２等に記載されている個々の機能の組み合わせによりその他の画像処理についても備えることができる。また、画像処理を構成する機能についても、図２等に記載されているものには限定されない。画像データの演算処理等その他の機能を定義することも可能である。
また、実行履歴については、過去５回分の画像処理を累積する場合を例示しているが、累積する回数など適宜に変更することができることはいうまでもない。
【図面の簡単な説明】
【００９４】
【図１】実施形態の画像処理装置の外観斜視図である。
【図２】消費電力選択モードの表示画面の一例である。
【図３】画像処理装置の回路ブロック図である。
【図４】画像処理の実行プログラムを示すフロー図である。
【図５】画像処理の実行履歴から給電する機能の自動選択プログラムを示すフロー図である。
【図６】画像処理の実行履歴と算出された使用量ポイントを示す図である。
【図７】画像処理の実行履歴から機能ごとの実行頻度のポイントを算出する図である。
【図８】消費電力選択モードの処理および省電力モードへの移行プログラムを示すフロー図である。
【図９】消費電力選択モードプログラムを示すフロー図（１）である。
【図１０】消費電力選択モードプログラムを示すフロー図（２）である。
【図１１】スクロールキーによる消費電力の選択処理における消費電力選択画面である。
【図１２】機能ごとのトグルキーによる機能の選択および非選択の選択処理における消費電力選択画面（機能の選択）である。
【図１３】機能ごとのトグルキーによる機能の選択および非選択の選択処理における消費電力選択画面（機能の非選択）である。
【図１４】画像処理を構成する機能の省電力モード時の消費電力を示す図である。
【符号の説明】
【００９５】
１      画像処理装置１
２      プリンタ部
３      スキャナ部
５      タッチパネル付き液晶表示画面
２２      外部記憶装置
２３      ＲＡＭ
３０、３１      スロット部
４１      マトリックススイッチ
４２      液晶表示部
ＢＫ      復帰キー
ＦＫ      機能ごとのトグルキー
ＰＷ      消費電力表示ウィンドウ
ＳＫ      スクロールキー
Ｄ１      省電力モード時に給電する機能についてのユーザ選択のデータ
Ｄ２      機能ごとの実行頻度のポイントデータ
Ｄ３      省電力モード時に給電する機能についての機能データ
【図１】
2009225139.tif 000003
【図２】
2009225139.tif 000004
【図３】
2009225139.tif 000005
【図４】
2009225139.tif 000006
【図５】
2009225139.tif 000007
【図６】
2009225139.tif 000008
【図７】
2009225139.tif 000009
【図８】
2009225139.tif 000010
【図９】
2009225139.tif 000011
【図１０】
2009225139.tif 000012
【図１１】
2009225139.tif 000013
【図１２】
2009225139.tif 000014
【図１３】
2009225139.tif 000015
【図１４】
2009225139.tif 000016